(57)【要約】【課題】本発明の課題は、水はねガードパネルを備えたトイレ内手洗い器において、特に意匠性・清掃性に優れた水はねガードパネル付トイレ内手洗い器を提供することを課題とする。  【解決手段】  トイレルーム内に設置する水はね防止用のガードパネルを供えたトイレ内手洗器において、前記ガードパネルは、前記ガードパネル背面と壁との間に設けられた、壁固定部材を介して壁に固定されており、前記壁固定部材がガードパネル前面に露出しないようにしたことを特徴とする。【選択図】  図１
2005264543.tif 000002
【特許請求の範囲】
【請求項１】
トイレルーム内に設置する水はね防止用のガードパネルを供えたトイレ内手洗器において、前記ガードパネルは、前記ガードパネル背面と壁との間に設けられた、壁固定部材を介して壁に固定されており、前記壁固定部材がガードパネル前面に露出していないことを特徴とするトイレ内手洗器。
【請求項２】
前記壁固定部材は前記ガードパネル背面に設けられた掛け部と壁面に設けられた支持材とからなり、前記ガードパネルを上下方向にスライドさせ、前記掛け部を前記支持材に引っ掛けることにより、壁面に着脱自在に装着したことを特徴とする請求項１記載のトイレ内手洗器。
【請求項３】
前記壁固定部材は壁に固定された第一フレームと第二フレームとからなり、前記ガードパネルを前記第一フレームと第二フレームとの間に挟み込むことにより、壁面に着脱自在に装着したことを特徴とする請求項１記載のトイレ内手洗器。
【請求項４】
前記壁固定部材は略コの字型形状であり、前記ガードパネルの側面を壁固定部材に固定することを特徴とする請求項１記載のトイレ内手洗器。
【請求項５】
前記ガードパネルに鏡や石鹸受けなどの他の機能部材を取り付ける取り付け部を設けたことを特徴とする請求項１〜４のいずれか１つに記載のトイレ内手洗器。
【発明の詳細な説明】
【技術分野】
【０００１】
本発明は、手洗器の水はねを受け止める用具に係り、特に意匠性・清掃性に優れた水はねガードパネルを備えたトイレ内手洗器関する発明である。
【背景技術】
【０００２】
従来の手洗器の水はねを受け止める用具（構造）としては手洗器本体の背面を立ち上げる構造のものが多い。（例えば、特許文献１第７図参照。）。 （図１３）
このような場合、手洗器本体が大きなものとなり、コンパクトな意匠には成り得ないという問題があった。また、その材質として陶器を用いているものが多く、立ち上げた背面に鏡や石鹸受けなどの他の機能をもたせることが困難であるという問題があった。
【０００３】
また手洗器とは別体で水はねガードパネルを設置した例もある。（例えば、特許文献２第１図参照。）。（図１４）
しかし、この場合は別体となったパネルを正面から壁固定しているため、その固定部分が表に出てくるので見映えが悪くなる問題があった。また、化粧キャップ類を用いて、その固定部分を覆うことが考えられるが、その場合化粧キャップの類はパネル前面において突起物となるため、清掃性が悪くなるといった問題があった。 
【特許文献１】特開２００２−３４５６６２号公報（第７図）
【特許文献２】特開２００１−２９９６０３号公報（第１図）
【発明の開示】
【発明が解決しようとする課題】
【０００４】
本発明は、上記問題を解決するためになされたもので、本発明の課題は、意匠性・清掃性に優れた水はねガードパネルを備えたトイレ内手洗器を提供することである。
【課題を解決するための手段】
【０００５】
請求項１に係る発明では、トイレルーム内に設置する水はね防止用のガードパネルを供えたトイレ内手洗器において、前記ガードパネルは、前記ガードパネル背面と壁との間に設けられた、壁固定部材を介して壁に固定されており、前記壁固定部材がガードパネル前面に露出していないことを特徴とする。
取付けビス等の固定部材がガードパネル前面に露出していないので、意匠性が良く、清掃性にも優れた水はねガードパネルの構造を可能とした。
【０００６】
請求項２に係る発明では、前記壁固定部材は前記ガードパネル背面に設けられた掛け部と壁面に設けられた支持材とからなり、前記ガードパネルを上下方向にスライドさせ、前記掛け部を前記支持材に引っ掛けることにより、壁面に着脱自在に装着したことを特徴とする。
このことにより取付けビス等の固定部材がガードパネル前面に露出していないのはもちろんのこと、簡単に取り外しも可能な構造となっているので極めてガードパネルの清掃性が良い。
【０００７】
請求項３に係る発明では、前記壁固定部材は壁に固定された第一フレームと第二フレームとからなり、前記ガードパネルを前記第一フレームと第二フレームとの間に挟み込むことにより、壁面に着脱自在に装着したことを特徴とする。
このことにより取付けビス等の固定部材がガードパネル前面に露出していないのはもちろんのこと、簡単に取り外しも可能な構造となっているので極めてガードパネルの清掃性が良い。
【０００８】
請求項４に係る発明では、前記壁固定部材は略コの字型形状であり、前記ガードパネルの側面を壁固定部材に固定することを特徴とする。
壁固定部材の形状が略コの字型のため、ガードパネルの側面からビス等により容易に固ガードパネルを固定できる。また、固定部材はガードパネルの側面に露出することになるため、ガードパネル前面を凹凸なく仕上げることができる。
【０００９】
請求項５に係る発明では、前記ガードパネルに鏡や石鹸受けなどの他の機能部材を取り付ける取り付け部を設けたことを特徴とする
パネル本体に鏡や石鹸受けといったものを取り付けられる構造となっているので水はねを受けることのみならず多機能アイテムとして利用できるので使い方の幅が広がる。
【発明の効果】
【００１０】
本発明によれば、水はねガードパネルを備えたトイレ内手洗器において、水はねガードパネルを手洗器と別体として設け、ガードパネルの壁固定部材がガードパネル前面に露出しない構成としているため、意匠性が良く、清掃性がよいパネルで仕上げることができるという効果がある。
【発明を実施するための最良の形態】
【００１１】
図１、２、３に実施例１を示す。水はねガードパネル１は壁からの支持材２に引掛ける方式にて設置するため、取付けビス等が表面に出てこないので意匠性が良く、清掃性も良い。また固定方法が引っ掛けるだけなので、ガードパネル１のとりはずしが容易であり、ガードパネル１の背面の壁の清掃も容易に行うことができる。
【００１２】
図４、５に実施例２を示す。ガードパネル１の壁への設置は上フレーム３と下フレーム４の挟み込み式にて設置するため、表からは取付けビス等が見えない構造が可能となる。ここで、上フレーム３および、下フレーム４はビス等で固定されるが、上フレーム３のビス穴は長穴となっている。このことにより、図４に示すように上フレーム３は壁に固定した後も上下に移動可能となり、ガードパネル１を下フレーム４に嵌め込んだ後、上フレームを上下にスライドさせてガードパネルを嵌め込むことで、容易にガードパネルを固定することができる。また、大きさの違うガードパネルに変更する際も、長穴を利用することによって簡単に変更することができる。同方式にて左右から挟みこんでも同様の効果は得られる。
【００１３】
図６に実施例３を示す。壁からの支持材５に対してパネル側面からビス６により固定するため、表面が凹凸なく仕上がる。同方式にて上部からのビス固定方式でも表面は凹凸なく仕上がる。
【００１４】
図７に実施例４を示す。パネルの固定方法は面ファスナー７や両面テープを用いた簡素な方式でも同様の効果は得られる。
【００１５】
図８に実施例５を示す。水はねガードパネルと陶器の設置部分に緩衝材８を付けておくと、陶器の寸法誤差吸収にもなり、水浸入防止にもなる。
【００１６】
図９、１０、１１に実施例６を示す。パネル本体に石鹸受け９、鏡１０、タオルかけ１１等の小物を搭載できる構造となっているとさらに用途が広がる。
【００１７】
図１２に実施例７を示す。パネル本体にヒーター１２を通しておけばパネルにはねた水が速く乾燥する。また、容量を大きくとれば冬場の寒い時期に室内暖房として使用できる。
【図面の簡単な説明】
【００１８】
【図１】本発明の請求項１の実施例を示す図である。
【図２】本発明の請求項２の実施例１を示す図である。
【図３】本発明の請求項２の実施例１を示す図である。
【図４】本発明の請求項２の実施例２を示す図である。
【図５】本発明の請求項２の実施例２を示す図である。
【図６】本発明の請求項２の実施例３を示す図である。
【図７】本発明の請求項２の実施例４を示す図である。
【図８】本発明の請求項２の実施例５を示す図である。
【図９】本発明の請求項３の実施例６を示す図である。
【図１０】本発明の請求項３の実施例６を示す図である。
【図１１】本発明の請求項３の実施例６を示す図である。
【図１２】本発明の請求項３の実施例７を示す図である。
【図１３】本発明の先行事例である特許文献１の図である。
【図１４】本発明の先行事例である特許文献２の図である。
【符号の説明】
【００１９】
１…水はねガードパネル
２…支持材
３…上フレーム
４…下フレーム
５…支持材
６…ビス
７…面ファスナー
８…緩衝材
９…石鹸受け
１０…鏡
１１…タオルかけ
１２…ヒーター
【図１】
2005264543.tif 000003
【図２】
2005264543.tif 000004
【図３】
2005264543.tif 000005
【図４】
2005264543.tif 000006
【図５】
2005264543.tif 000007
【図６】
2005264543.tif 000008
【図７】
2005264543.tif 000009
【図８】
2005264543.tif 000010
【図９】
2005264543.tif 000011
【図１０】
2005264543.tif 000012
【図１１】
2005264543.tif 000013
【図１２】
2005264543.tif 000014
【図１３】
2005264543.tif 000015
【図１４】
2005264543.tif 000016